(57)【要約】【課題】メイン回路スイッチの遮断作業における火花が発生を無くし、防水構造にすることが容易である電源回路遮断装置を提供する。【解決手段】第１コネクタハウジング３と、第１コネクタハウジング３に嵌合および離脱する第２コネクタハウジング５と、第２コネクタハウジング５と第１コネクタハウジング３との間に離脱力を作用させるレバー７と、第１コネクタハウジング３内と第２コネクタハウジング５内とに設けられたメイン回路スイッチ９，信号回路スイッチ（１１）と、メイン回路スイッチ９がオン状態であり信号回路スイッチ１１がオフ状態であるときに、レバー７の回転位置をロックするロック部１３とを有する電源回路遮断装置１である。【選択図】図１
2014056794.tif 000002
【特許請求の範囲】
【請求項１】
第１コネクタハウジングと、
前記第１コネクタハウジングに嵌合および離脱する第２コネクタハウジングと、
前記第２コネクタハウジングに回転可能に設けられ前記第１コネクタハウジングに係合し、解除位置から第１中間位置、第２中間位置を通り嵌合位置に至るまで回転する間に、前記第２コネクタハウジングと前記第１コネクタハウジングとの間に嵌合力を作用させ、前記嵌合位置から前記第２中間位置、前記第１中間位置を通り前記解除位置に至るまで回転する間に、前記第２コネクタハウジングと前記第１コネクタハウジングとの間に離脱力を作用させるレバーと、
前記第１コネクタハウジング内と前記第２コネクタハウジング内とにそれぞれメイン端子が設けられ、前記レバーが前記解除位置と前記第１中間位置との間にあるときにはオフ状態であり、前記レバーが前記第１中間位置と前記嵌合位置との間にあるときにはオン状態となるメイン回路スイッチと、
前記第１コネクタハウジング内と前記第２コネクタハウジング内とにそれぞれ信号端子が設けられ、前記レバーが前記解除位置と前記第２中間位置との間にあるときにはオフ状態であり、前記レバーが前記第２中間位置と前記嵌合位置との間にあるときにはオン状態となる信号回路スイッチと、
前記メイン回路スイッチがオン状態であり前記信号回路スイッチがオフ状態であるときに、前記レバーの回転位置をロックするロック部と、
を有することを特徴とする電源回路遮断装置。
【請求項２】
請求項１に記載の電源回路遮断装置において、
前記ロック部のロック状態を、人が操作することで解除できるロック解除操作部を有することを特徴とする電源回路遮断装置。
【請求項３】
請求項１または請求項２に記載の電源回路遮断装置において、
前記レバーにはカム溝が設けられており、前記第１コネクタハウジングに設けられた突起が前記カム溝に入り込むことで前記レバーが前記第１コネクタハウジングに係合するように構成されており、
前記レバーの回転中心軸を含み前記第１コネクタハウジングに対する前記第２コネクタハウジングの移動方向に展開している平面に対して、前記信号回路スイッチの信号端子と前記メイン回路スイッチのメイン端子とが対称に配置されており、前記第１コネクタハウジングの突起の中心軸が、前記平面内に存在していることを特徴とする電源回路遮断装置。
【請求項４】
請求項３に記載の電源回路遮断装置において、
前記信号回路スイッチの信号端子は、前記メイン回路スイッチのメイン端子の内側に位置していることを特徴とする電源回路遮断装置。
【発明の詳細な説明】
【技術分野】
【０００１】
本発明は、電源回路遮断装置に係り、特に、電源回路を切断するメイン回路スイッチと、このメイン回路スイッチが切断する前に外部に切断信号を出力する信号回路スイッチとを備えたものに関する。
【背景技術】
【０００２】
従来、図１４や図１５に示すような電源回路遮断装置３０１が知られている（たとえば特許文献１参照）。
【０００３】
電源回路遮断装置３０１は、第１コネクタハウジング３０３と第２コネクタハウジング３０５とを備えて構成されている。第２コネクタハウジング３０５は、第１コネクタハウジング３０３に嵌合し、また、第１コネクタハウジング３０３から離脱するようになっている。
【０００４】
第１コネクタハウジング３０３には、メイン回路スイッチ（メイン回路）３０７のメス端子３０９と信号回路スイッチ（インターロック回路）３１１のメス端子３１３とが設けられており、第２コネクタハウジング３０５には、メイン回路スイッチ（主スイッチ）３０７のオス端子３１５と信号回路スイッチ（インターロックスイッチ）３１１のオス端子３１７とが設けられている。
【０００５】
第２コネクタハウジング３０５には、レバー３１９が回転自在に設けられている。レバー３１９は、第１コネクタハウジング３０３に係合している。
【０００６】
そして、第１コネクタハウジング３０３に係合しているレバー３１９の回転によって、上述した第１コネクタハウジング３０３の嵌合・離脱がなされるようになっている。
【０００７】
図１４では、第１コネクタハウジング３０３が第２コネクタハウジング３０５に嵌合しており、この状態では、メイン回路スイッチ３０７のメス端子３０９とメイン回路スイッチ３０７のオス端子３１５とがお互いに導通し、メイン回路スイッチ３０７は閉じられている。また、図１４では、信号回路スイッチ３１１のメス端子３１３と信号回路スイッチ３１１のオス端子３１７とがお互いに導通し、信号回路スイッチ３１１も閉じられている。
【０００８】
電源回路遮断装置３０１におけるメイン回路スイッチ３０７の遮断作業（レバー３１９の解除作業）は、レバー３１９を回転することでなされる。すなわち、図１４に示す状態から図１５示すようにレバー３１９を回転することで、第１コネクタハウジング３０３が上方に移動し第２コネクタハウジング３０５から次第に離れるようになっている。
【０００９】
第１コネクタハウジング３０３が第２コネクタハウジング３０５から次第に離れることで、はじめに、信号回路スイッチ３１１のオス端子３１７が信号回路スイッチ３１１のメス端子３１３から抜け出て、信号回路スイッチ３１１のオス端子３１７が信号回路スイッチ３１１のメス端子３１３から離れ、信号回路スイッチ３１１が開く。
【００１０】
続いて、信号回路スイッチ３１１が開いた信号を電源回路遮断装置３０１とは別個のリレー（図示せず）に送り、リレーを開くことでメイン回路スイッチ３０７に電圧がかからないようにしている。
【００１１】
レバー３１９をさらに回転して第２コネクタハウジング３０５を第１コネクタハウジング３０３からさらに離すことで、メイン回路スイッチ３０７のオス端子３１５がメイン回路スイッチ３０７のメス端子３０９とから抜け出て、メイン回路スイッチ３０７のオス端子３１５がメイン回路スイッチ３０７のメス端子３０９から離れ、メイン回路スイッチ３０７が開く。
【００１２】
メイン回路スイッチ３０７を開くとき、上記リレーによる遮断によってメイン回路スイッチ３０７が活電状態ではなくなっており、メイン回路スイッチ３０７での火花の発生が抑制される。
【００１３】
図１６を用いて、説明すると、レバー３１９の解除率が０％のときには、図１４で示すようになっている。図１５は、レバー３１９の解除率がａａ％のときを示しており、信号回路スイッチ３１１は開く直前の状態を示している。
【００１４】
レバー３１９の解除率がａｂ％になると、信号回路スイッチ３１１のみが開くようになっている。レバー３１９の解除率がａｂ％〜ａｃ％に間では、信号回路スイッチ３１１が開いており、メイン回路スイッチ３０７は閉じられている。レバー３１９の解除率がａｃ％を超えると、信号回路スイッチ３１１とメイン回路スイッチ３０７が開くようになっている。
【００１５】
このように構成されていることで、メイン回路スイッチ３０７の各端子３０９，３１５に火花を発生させることなく、遮断作業を行うことができる。
【００１６】
また、図１７や図１８に示す従来の電源回路遮断装置３５１（たとえば特許文献２参照）は、次に掲げる点を除いて、電源回路遮断装置３０１と同様に構成されている。
【００１７】
電源回路遮断装置３５１では、レバー３５３が容易に回転してしまうことを防止するためのロック部３５５が、レバー３５３に設けられている。
【００１８】
また、電源回路遮断装置３５１では、信号回路スイッチ３５７が各コネクタハウジング３５９，３６１の外部に設けられている。
【先行技術文献】
【特許文献】
【００１９】
【特許文献１】特開２０１２−７９４３０号公報
【特許文献２】特開２０１２−１１９２９２号公報
【発明の概要】
【発明が解決しようとする課題】
【００２０】
ところで、電源回路遮断装置３０１において、レバー３１９の解除作業を短時間で行うと、リレーの作動ができないままメイン回路スイッチ３０７に電圧がかかったままの状態で、メイン回路スイッチ３０７が解除される（開く）ことがあり、火花がまれに発生するおそれがあるという問題がある。
【００２１】
電源回路遮断装置３５１では、ロック部３５５が設けられており、ロック部３５５を解除するのに時間を要するので、レバー３１９の解除作業に若干の時間を要する。したがって、メイン回路スイッチ３０７に電圧がかかったままの状態でメイン回路スイッチ３０７が開くことが無くなり、火花が発生するおそれは無くなる。
【００２２】
一方、電源回路遮断装置３５１では、信号回路スイッチ３５７が各コネクタハウジング３５９，３６１の外部に設けられているので、防水構造にすることが難しく、水のかかる箇所に設置することが難しいという問題がある。
【００２３】
本発明は、上記問題点に鑑みてなされたものであり、メイン回路スイッチの遮断作業（レバーの解除作業）における火花が発生を無くし、防水構造にすることが容易である電源回路遮断装置を提供することを目的とする。
【課題を解決するための手段】
【００２４】
請求項１に記載の発明は、第１コネクタハウジングと、前記第１コネクタハウジングに嵌合および離脱する第２コネクタハウジングと、前記第２コネクタハウジングに回転可能に設けられ前記第１コネクタハウジングに係合し、解除位置から第１中間位置、第２中間位置を通り嵌合位置に至るまで回転する間に、前記第２コネクタハウジングと前記第１コネクタハウジングとの間に嵌合力を作用させ、前記嵌合位置から前記第２中間位置、前記第１中間位置を通り前記解除位置に至るまで回転する間に、前記第２コネクタハウジングと前記第１コネクタハウジングとの間に離脱力を作用させるレバーと、前記第１コネクタハウジング内と前記第２コネクタハウジング内とにそれぞれメイン端子が設けられ、前記レバーが前記解除位置と前記第１中間位置との間にあるときにはオフ状態であり、前記レバーが前記第１中間位置と前記嵌合位置との間にあるときにはオン状態となるメイン回路スイッチと、前記第１コネクタハウジング内と前記第２コネクタハウジング内とにそれぞれ信号端子が設けられ、前記レバーが前記解除位置と前記第２中間位置との間にあるときにはオフ状態であり、前記レバーが前記第２中間位置と前記嵌合位置との間にあるときにはオン状態となる信号回路スイッチと、前記メイン回路スイッチがオン状態であり前記信号回路スイッチがオフ状態であるときに、前記レバーの回転位置をロックするロック部とを有する電源回路遮断装置である。
【００２５】
請求項２に記載の発明は、請求項１に記載の電源回路遮断装置において、前記ロック部のロック状態を、人が操作することで解除できるロック解除操作部を有する電源回路遮断装置である。
【００２６】
請求項３に記載の発明は、請求項１または請求項２に記載の電源回路遮断装置において、前記レバーにはカム溝が設けられており、前記第１コネクタハウジングに設けられた突起が前記カム溝に入り込むことで前記レバーが前記第１コネクタハウジングに係合するように構成されており、前記レバーの回転中心軸を含み前記第１コネクタハウジングに対する前記第２コネクタハウジングの移動方向に展開している平面に対して、前記信号回路スイッチの信号端子と前記メイン回路スイッチのメイン端子とが対称に配置されており、前記第１コネクタハウジングの突起の中心軸が、前記平面内に存在している電源回路遮断装置である。
【００２７】
請求項４に記載の発明は、請求項３に記載の電源回路遮断装置において、前記信号回路スイッチの信号端子は、前記メイン回路スイッチのメイン端子の内側に位置している電源回路遮断装置である。
【発明の効果】
【００２８】
本発明によれば、メイン回路スイッチの遮断作業（レバーの解除作業）における火花が発生を無くし、防水構造にすることが容易である電源回路遮断装置を提供することができるという効果を奏する。
【図面の簡単な説明】
【００２９】
【図１】本発明の実施形態に係る電源回路遮断装置の概略構成を示す斜視図であって、レバーが嵌合位置に位置しているものを示す図である。
【図２】図１におけるＩＩ矢視図である。
【図３】図１におけるＩＩＩ矢視図である。
【図４】図２におけるＩＶ−ＩＶ断面を示す図である。
【図５】本発明の実施形態に係る電源回路遮断装置の概略構成を示す斜視図であって、レバーが第３中間位置に位置しているものを示す図である。
【図６】図５におけるＶＩ矢視図である。
【図７】図５におけるＶＩＩ矢視図である。
【図８】図６におけるＶＩＩＩ−ＶＩＩＩ断面を示す図である。
【図９】本発明の実施形態に係る電源回路遮断装置の概略構成を示す斜視図であって、レバーが解除位置に位置しているものを示す図である。
【図１０】図９におけるＸ矢視図である。
【図１１】図９におけるＸＩ矢視図である。
【図１２】図１０におけるＸＩＩ−ＸＩＩ断面を示す図である
【図１３】本発明の実施形態に係る電源回路遮断装置における、レバーの回転角度（レバー解除率）と、メイン回路スイッチおよび信号回路スイッチのオン・オフ状態との関係を示す図である。
【図１４】従来の電源回路遮断装置の概略構成を示す断面図である。
【図１５】従来の電源回路遮断装置の概略構成を示す断面図である。
【図１６】従来の電源回路遮断装置における、レバーの回転角度（レバー解除率）と、メイン回路スイッチおよび信号回路スイッチのオン・オフ状態との関係を示す図である。
【図１７】従来の電源回路遮断装置の概略構成を示す断面図である。
【図１８】従来の電源回路遮断装置の概略構成を示す斜視図である。
【発明を実施するための形態】
【００３０】
本発明の実施形態に係る電源回路遮断装置（スイッチ装置）１は、図示しない車両等（例えば、電気自動車やハイブリッド車）に搭載され、車両を駆動させるモータ等の負荷と、この負荷に電力を供給するバッテリや燃料電池等の直流電源との間を接続する電源回路を切断するためのものであり、具体的にはバッテリケースＢＣ（図４等参照）に取り付けられるものとして説明するが、電源回路を流れる電流を遮断するものであれば、車両に搭載される場合に限られず、また、取り付け位置もバッテリケースに限られるものではない。
【００３１】
電源回路遮断装置１は、図１〜図４等で示すように、第１コネクタハウジング（第１キャビティ）３と第２コネクタハウジング（第２キャビティ）５とレバー７とメイン回路スイッチ（主スイッチ）９と信号回路スイッチ（インターロックスイッチ）１１とロック部（中間ロック部；第２ロック部；図８参照）１３とを備えて構成されている。
【００３２】
ここで、説明の便宜のために、電源回路遮断装置１における所定の一方向を縦方向とし、この縦方向に直交する所定の一方向を横方向とし、縦方向と横方向とに直交する所定の一方向を高さ方向とする。
【００３３】
第２コネクタハウジング５は、第１コネクタハウジング３の上方で第１コネクタハウジング３に対し高さ方向で移動することで、第１コネクタハウジング３に嵌合および離脱するようになっている。
【００３４】
レバー７は、第２コネクタハウジング５に回転（回動）可能に設けられており、また、第１コネクタハウジング３に係合している。
【００３５】
レバー７は、解除位置ＰＳ２（図１２等参照）から第１中間位置（図示せず）、第２中間位置（図示せず）をこの順に通り嵌合位置ＰＳ１（図４等参照）に至るまで回転する間に、第２コネクタハウジング５と第１コネクタハウジング３との間に嵌合力を作用させるようになっている。
【００３６】
また、レバー７は、嵌合位置ＰＳ１から第２中間位置、第１中間位置をこの順に通り解除位置ＰＳ２に至るまで回転する間に、第２コネクタハウジング５と第１コネクタハウジング３との間に離脱力を作用させるようになっている。
【００３７】
なお、レバー７の第１中間位置とは、図８等で示す位置よりもレバー７が起立している位置である。すなわち、第１中間位置では、レバー７が、図１２で示す回転位置と図８で示す回転位置との中間に位置する所定の回転位置に存在している。
【００３８】
また、レバー７の第２中間位置とは、図８等で示す位置よりもレバー７が倒れている位置である。すなわち、第２中間位置では、レバー７が、図４で示す回転位置と図８で示す回転位置との中間に位置する所定の回転位置に存在している。
【００３９】
メイン回路スイッチ９は、第１コネクタハウジング３内と第２コネクタハウジング５内とにそれぞれ設けられている。
【００４０】
また、メイン回路スイッチ９は、図１３で示すように、レバー７（第２コネクタハウジング５）が解除位置ＰＳ２と第１中間位置との間にあるときにはオフ状態であり、レバー７（第２コネクタハウジング５）が第１中間位置と嵌合位置ＰＳ１との間にあるときにはオン状態となる。
【００４１】
詳しく説明すると、メイン回路スイッチ９は、一対のメス端子（メスコネクタ）１５（１５Ａ，１５Ｂ）と一対のオス端子（オスコネクタ）１７（１７Ａ，１７Ｂ）とを備えて構成されている。一対のメス端子１５は、第１コネクタハウジング３内に一体的に設けられおり、お互いが離れている。一対のオス端子１７は、第２コネクタハウジング５内に一体的に設けられおり、位置はお互いが離れている。ただし、一対のオス端子１７Ａ，１７Ｂは、接続部１９とともに一体成形されており、接続部１９を介してお互いにつながっている（導通している）。
【００４２】
そして、レバー７が解除位置ＰＳ２と第１中間位置との間にあるときには、一対のオス端子１７のそれぞれが、一対のメス端子１５のそれぞれから抜け出ており（一方のメス端子１５Ａから一方のオス端子１７Ａが抜け出ており、他方のメス端子１５Ｂから他方のオス端子１７Ｂが抜け出ており）、メス端子１５とオス端子１７とがお互いが離れており、一方のメス端子１５Ａと他方のメス端子１５Ｂとはお互いが非導通状態になっている。
【００４３】
信号回路スイッチ１１も、メイン回路スイッチ９と同様にして、第１コネクタハウジング３内と第２コネクタハウジング５内とにそれぞれ設けられている。
【００４４】
また、信号回路スイッチ１１は、図１３で示すように、レバー７（第２コネクタハウジング５）が解除位置ＰＳ２と第２中間位置との間にあるときにはオフ状態であり、レバー７（第２コネクタハウジング５）が第２中間位置と嵌合位置ＰＳ１との間にあるときにはオン状態となる。
【００４５】
詳しく説明すると、信号回路スイッチ１１は、一対のメス端子（メスコネクタ）２１（２１Ａ，２１Ｂ）と一対のオス端子（オスコネクタ）２３（２３Ａ，２３Ｂ）とを備えて構成されている。一対のメス端子２１は、第１コネクタハウジング３内に一体的に設けられおり、お互いが離れている。一対のオス端子２３は、第２コネクタハウジング５内に一体的に設けられおり、位置はお互いが離れている。ただし、一対のオス端子２３Ａ，２３Ｂは、接続部２５とともに一体成形されており、接続部２５を介してお互いにつながっている（導通している）。
【００４６】
そして、レバー７が解除位置ＰＳ２と第２中間位置との間にあるときには、一対のオス端子２３のそれぞれが、一対のメス端子２１のメス端子のそれぞれから抜け出ており（一方のメス端子２１Ａから一方のオス端子２３Ａが抜け出ており、他方のメス端子２１Ｂから他方のオス端子２３Ｂが抜け出ており）、メス端子２１とオス端子２３とがお互いが離れており、一方のメス端子２１Ａと他方のメス端子２１Ｂとはお互いが非導通状態になっている。
【００４７】
なお、第１コネクタハウジング３に係合しているレバー７が嵌合位置ＰＳ１に位置しているときには、第２コネクタハウジング５が第１コネクタハウジング３に嵌り込んでおり（各コネクタハウジング３，５同士がお互いに嵌合して接合状態になっており）、メイン回路スイッチ９と信号回路スイッチ１１とがともにオン状態になっている。電源回路遮断装置１は、通常は各コネクタハウジング３，５同士がお互いに嵌合している状態（図１〜図４参照）で使用されるようになっている。
【００４８】
また、第１コネクタハウジング３に係合しているレバー７が解除位置ＰＳ２に位置しているときには、第２コネクタハウジング５が第１コネクタハウジング３から抜け出ている。メイン回路スイッチ９と信号回路スイッチ１１とがともにオフ状態になっている。
【００４９】
また、バッテリケースＢＣに取り付けられた電源回路遮断装置１のメス端子１５Ａ，１５Ｂ，２１Ａ，２１Ｂのそれぞれには、配線用端子（図示せず）が接続されるようになっている。
【００５０】
すなわち、メス端子１５Ａに１つの配線用端子が設置され、メス端子１５Ｂに１つの配線用端子が設置され、メス端子２１Ａに１つの配線用端子が設置され、メス端子２１Ｂに１つの配線用端子が設置されるようになっている。４つの各配線用端子は、お互いが離れている。また、４つの各配線用端子のそれぞれからは、配線（図示せず）が延出するようになっている。
【００５１】
メイン回路スイッチ９の一方のメス端子１５Ａから延出している配線は、バッテリ（図示せず）の一方の端子に接続されている。他方のメス端子１５Ｂから延出している配線は、バッテリ（図示せず）の他方の端子に接続されている。ただし、他方のメス端子１５Ｂとバッテリ（図示せず）の他方の端子との間で延出している配線の中間部には、モータ等の負荷（図示せず）と、リレー（図示せず）とが直列接続されている。
【００５２】
信号回路スイッチ１１の一方のメス端子２１Ａから延出している配線は、上記リレーの一方の入力端子に接続されており、他方のメス端子２１Ｂから延出している配線は、上記リレーの他方の入力端子に接続されている。ただし、他方のメス端子２１Ｂとリレーの他方の入力端子との間で延出している配線の中間部には、バッテリ等の電源が接続されている。
【００５３】
そして、図１３等で示す嵌合位置ＰＳ１と第１中間位置との間では（レバー７や第２コネクタハウジング５が嵌合位置ＰＳ１と第２中間位置との間に位置しているときには）、信号回路スイッチ１１の各メス端子２１Ａ，２１Ｂがお互いに導通している旨の信号が上記リレーに入力され、上記リレーが閉じるようになっている。
【００５４】
図１３等で示す嵌合位置ＰＳ１（嵌合位置ＰＳ１と第１中間位置との間の位置）では、メイン回路スイッチ９の一方のメス端子１５Ａから延出している配線と、他方のメス端子１５Ｂから延出している配線とがお互いに導通状態になっている。
【００５５】
さらに、説明すると、レバー７（第２コネクタハウジング５）が嵌合位置ＰＳ１と第２中間位置との間に存在しているときには、メイン回路スイッチ９と上記負荷と上記リレーとを介して、上記バッテリの各端子同士がお互いにつながっている。レバー７（第２コネクタハウジング５）が第２中間位置と第１中間位置との間に存在しているときには、上記リレーによって、上記バッテリの各端子同士がお互いに非導通の状態になる。また、レバー７が第１中間位置と解除位置ＰＳ２との間に存在しているときには、上記リレーおよびメイン回路スイッチ９によって、上記バッテリの各端子同士がお互いに非導通の状態になる。
【００５６】
中間ロック部１３は、第２コネクタハウジング５を第１コネクタハウジング３から離脱するときであって、メイン回路スイッチ９がオン状態であり信号回路スイッチ１１がオフ状態であるときにレバー７の回転位置をロックするものである。すなわち、レバー７が第１コネクタハウジング３に係合しレバー７や第２コネクタハウジング５が第１中間位置と第２中間位置との間の所定の位置（第３中間位置；図８等参照）ＰＳ３に位置しているときにレバー７の回転位置をロックするものである。
【００５７】
さらに説明すると、中間ロック部１３は、レバー７がそれ以上解除位置ＰＳ２側に回転しないようにロックするようになっている。なお、たとえば、中間ロック部１３でロックされていても、嵌合位置ＰＳ１側には、レバー７は回転するようになっている。
【００５８】
また、電源回路遮断装置１には、ロック部（固定ロック部；第１ロック部）２７と解除操作部２９とが設けられている。
【００５９】
固定ロック部２７は、図１〜図４で示す正規嵌合状態（メイン回路スイッチ９と信号回路スイッチ１１とがオン状態である通常の使用状態）であるときに（レバー７が嵌合位置ＰＳ１に位置しているときに）、レバー７の回転位置をロックするものである。
【００６０】
また、解除操作部２９を人が操作することで、中間ロック部１３のロック状態（レバー７が第３中間位置ＰＳ３に位置しているとき状態）が解除され、レバー７が回転できるように構成されている。
【００６１】
さらに、電源回路遮断装置１には、別の解除操作部３１が設けられている。そして、解除操作部３１を人が操作することで、固定ロック部２７のロック状態（レバー７が嵌合位置ＰＳ１に位置しているとき状態）を解除することができるように構成されている。
【００６２】
ところで、レバー７にはカム溝３３が設けられている。そして、第１コネクタハウジング３に設けられた突起３５がカム溝３３に入り込むことでレバー７が第１コネクタハウジング３に係合するように構成されている。
【００６３】
信号回路スイッチ１１の信号端子（メス端子、オス端子）２１，２３は、メイン回路スイッチ９のメイン端子（メス端子、オス端子）１５，１７の内側に位置している。すなわち、図４等で示すように、縦方向で、メイン回路スイッチ９のメイン端子１５，１７の間に、信号回路スイッチ１１の信号端子２１，２３が存在している。
【００６４】
レバー７の回転中心軸Ｃ１を含み第１コネクタハウジング３に対する第２コネクタハウジング５の移動方向（嵌合や離脱をするときの移動方向；高さ方向）に展開している平面（中心平面）ＰＬに対して、信号回路スイッチ１１の信号端子２１，２３とメイン回路スイッチ９のメイン端子１５，１７とがほぼ対称に配置されている。
【００６５】
また、第１コネクタハウジング３の突起３５の中心軸Ｃ２が、中心平面ＰＬ内に存在している（若干ずれていてもよい）。なお、中心平面ＰＬは、すでに理解されるように、高さ方向と横方向とに展開しており、各軸Ｃ１，Ｃ２は横方向に延伸している。
【００６６】
さらに、説明すると、レバー７は、所定の軸Ｃ１を回転にして第２コネクタハウジング５に対し回転するようになっている。第２コネクタハウジング５は、第１コネクタハウジング３に対して、第１コネクタハウジング３の突起３５の中心軸Ｃ２とレバー７の回転中心軸Ｃ１とをお互いに結ぶ方向（高さ方向）に移動することで、嵌合と離脱とをするようになっている。また、第１コネクタハウジング３の突起３５の中心軸Ｃ２とレバー７の回転中心軸Ｃ１とを含む平面ＰＬに対して、信号回路スイッチ１１の端子２１，２３とメイン回路スイッチ９の端子１５，１７とがほぼ対称に配置されている。
【００６７】
ここで、電源回路遮断装置１についてさらに詳しく説明する。
【００６８】
第１コネクタハウジング３は、絶縁性の合成樹脂等の材料で一体成形されており、第１コネクタハウジング本体部３７とフランジ部３９と突起３５とを備えて構成されている。
【００６９】
第１コネクタハウジング本体部３７は筒状に形成されており、中心軸が上下方向に延伸している。フランジ部３９は、高さ方向の中間部で第１コネクタハウジング本体部３７の外周から突出しており、縦方向および横方向に展開している。
【００７０】
突起３５は、フランジ部３９の上方であって第１コネクタハウジング本体部３７の高さ方向の中間部で、第１コネクタハウジング本体部３７の外周から横方向の両側に突出している。すなわち、突起３５は、２つ設けられている。また、突起３５は、縦方向では、第１コネクタハウジング本体部３７のほぼ中央に位置している。
【００７１】
メイン回路スイッチ９のメス端子１５は金属等の導電性の材料で筒状に形成されている。一方のメス端子１５Ａは、縦方向では一端側で高さ方向では下側で、第１コネクタハウジング本体部３７内で第１コネクタハウジング本体部３７に一体的に設けられている。他方のメス端子１５Ｂは、縦方向では他端側で高さ方向では下側で、第１コネクタハウジング本体部３７内で第１コネクタハウジング本体部３７に一体的に設けられている。筒状の各メス端子１５は、これらの中心軸が高さ方向に延伸している。
【００７２】
中心平面ＰＬは、第１コネクタハウジング本体部３７の中心を通っており、一方のメス端子１５Ａと他方のメス端子１５Ｂとは、中心平面ＰＬを間にしてお互いが対称に配置されている。また、レバー７が係合する突起３５の中心軸Ｃ２は、横方向に延伸しており、前述したように、中心平面ＰＬ内に存在している。
【００７３】
信号回路スイッチ１１のメス端子２１も金属等の導電性の材料で筒状に形成されており、縦方向でメイン回路スイッチ９のメス端子１５から離れてメス端子１５の内側に位置している（各メス端子１５Ａ，１５Ｂの間に位置している）。
【００７４】
一方のメス端子２１Ａは、縦方向では一端側で高さ方向では下側で、第１コネクタハウジング本体部３７内で第１コネクタハウジング本体部３７に一体的に設けられている。他方のメス端子２１Ｂは、縦方向では他端側で高さ方向では下側で、第１コネクタハウジング本体部３７内で第１コネクタハウジング本体部３７に一体的に設けられている。筒状の各メス端子２１は、これらの中心軸が高さ方向に延伸しており、お互いが僅かに離れている。
【００７５】
一方のメス端子２１Ａと他方のメス端子２１Ｂとは、中心平面ＰＬを間にしてお互いが対称に配置されている。
【００７６】
なお、各メス端子１７Ａ，１７Ｂの上端は、第１コネクタハウジング本体部３７の中間部に位置しており、各メス端子２１Ａ，２１Ｂの上端は、第１コネクタハウジング本体部３７の中間部あって、各メス端子１７Ａ，１７Ｂの上端よりも下方に位置している（図１２等参照）。
【００７７】
フランジ部３９の下面には、環状のパッキン４１が設けられており、第１コネクタハウジング３が、バッテリケースＢＣに設置されたときには、図４等で示すように、パッキン４１がフランジ部３９とバッテリケースＢＣとで挟まれることで、第１コネクタハウジング３とバッテリケースＢＣとの間のシールがなされるようになっている。
【００７８】
第２コネクタハウジング５も、絶縁性の合成樹脂等の材料で一体成形されており、第２コネクタハウジング本体部４３と内側筒状部４５とオス端子支持部４７と係止体５５と突起５７とを備えて構成されている（図４等参照）。
【００７９】
第２コネクタハウジング本体部４３は、中心軸が上下方向に延伸している筒状の側壁部５３と、側壁部５３の上部を塞いでいる平板状の底壁部５１とを備えて、枡状に形成されている。
【００８０】
内側筒状部４５は、外径の寸法が側壁部５３の内径寸法よりも小さい筒状に形成されており、側壁部５３から離れて側壁部５３の内側に設けられている。内側筒状部４５の中心軸は、たとえば側壁部５３の中心軸と一致している。また、内側筒状部４５は、底壁部５１から下方に向かって突出している。内側筒状部４５の高さ寸法は、側壁部５３の高さ寸法よりも小さくなっている。
【００８１】
オス端子支持部４７は、外径の寸法が内側筒状部４５の内径寸法よりも小さい棒状に形成されており、内側筒状部４５から離れて内側筒状部４５内側に設けられている。オス端子支持部４７の中心軸も、たとえば側壁部５３の中心軸と一致している。また、オス端子支持部４７も、底壁部５１から下方に向かって突出している。オス端子支持部４７の高さ寸法は、側壁部５３の高さ寸法よりも大きくなっている。
【００８２】
係止体５５は、上下方向では上側で横方向では中央で、第２コネクタハウジング本体部４３の側壁部５３の縦方向の一端面から縦方向の一端側に突出している。
【００８３】
突起５７は、レバー７を回転可能に支持するものであり、第２コネクタハウジング本体部４３の側壁部５３の高さ方向の上側で、側壁部５３の外周から横方向の両側に突出している。すなわち、突起５７は２つ設けられている。また、突起５７は、縦方向では、第２コネクタハウジング本体部４３の中央に位置している。
【００８４】
メイン回路スイッチ９のオス端子１７は金属等の導電性の材料で棒状に形成されている。一方のオス端子１７Ａは、縦方向では一端側で高さ方向では下側で、また、内側筒状部４５内で、第２コネクタハウジング本体部４３に一体的に設けられている。他方のオス端子１７Ｂは、縦方向では他端側で高さ方向では下側で、また、内側筒状部４５内で、第２コネクタハウジング本体部４３に一体的に設けられている。
【００８５】
接続部１９は高さ方向では上側に位置しており、各オス端子１７Ａ，１７Ｂは、接続部１９から下方に突出している。各オス端子１７Ａ，１７Ｂの下端は第２コネクタハウジング本体部４３の側壁部５３の下端よりも下方に位置している。
【００８６】
信号回路スイッチ１１のオス端子２３も金属等の導電性の材料で棒状に形成されている。一方のオス端子２３Ａは、縦方向では一端側で、また、内側筒状部４５の内側であってオス端子支持部４７の下端で、第２コネクタハウジング本体部４３に一体的に設けられている。他方のオス端子２３Ｂは、縦方向では他端側で、また、内側筒状部４５内側であってオス端子支持部４７の下端で、第２コネクタハウジング本体部４３に一体的に設けられている。
【００８７】
接続部２５は高さ方向では上側に位置しており、各オス端子２３Ａ，２３Ｂは、接続部２５から下方に突出している。各オス端子２３Ａ，２３Ｂの下端は第２コネクタハウジング本体部４３の側壁部５３の下端よりも下方に位置し、各オス端子１７Ａ，１７Ｂの下端よりも上方に位置している。
【００８８】
各オス端子１７Ａ，１７Ｂと各オス端子２３Ａ，２３Ｂとは、メス端子１５，２１の場と同様にして、中心平面ＰＬを間にしてお互いが対称に配置されている。また、突起５７の中心軸Ｃ１は、前述したように、横方向に延伸して中心平面ＰＬ内に位置している。
【００８９】
レバー７も、絶縁性の合成樹脂等の材料で一体成形されており、レバー本体部５９と、弾性突出部６１とを備えて構成されている。
【００９０】
レバー本体部５９は、中央部位７１と一対の側方部位７３（７３Ａ，７３Ｂ）とを備えて「Ｕ」字状に形成されている。
【００９１】
また、中央部位７１からは、弾性突出部６１が突出している。弾性突出部６１には、第１被係止部６３と第２被係止部６５とが設けられている。各被係止部６３，６５は、レバー７の回転角度に応じて、第２コネクタハウジング５の係止体５５の先端に形成されている係止部６７に係止されるようになっている（図１、図８等参照）。
【００９２】
各側方部位７３Ａ，７３Ｂには、貫通孔６９とカム溝３３とが形成されている。各貫通孔６９に第２コネクタハウジング５の各突起５７が挿入され、各カム溝３３に第１コネクタハウジング３の各突起３５が挿入されて、各コネクタハウジング３，５とレバー７とが組立てられている。
【００９３】
この組み立てがなされた状態では、第１コネクタハウジング３の上方を第２コネクタハウジングが蓋しており、各オス端子１７、２３が第１コネクタハウジング３の内側に位置しており、また、第２コネクタハウジング本体部４３と内側筒状部４５との間に、第１コネクタハウジング本体部３７が入り込んでいる。さらに、図４に示す嵌合状態では、第１コネクタハウジング本体部３７と内側筒状部４５との間にパッキン４９が入り込んでおり、第１コネクタハウジング３と第２コネクタハウジング５との間のシールがなされている。
【００９４】
これにより、図４に示す状態で、バッテリケースＢＣや各コネクタハウジング３，５の上方から水をかけても、この水は、バッテリケースＢＣ内や各コネクタハウジング３，５内には入り込まないようになっている。
【００９５】
また、上記組み立てがなされた状態では、第２コネクタハウジング５が横方向でレバー７の各側方部位７３Ａ，７３Ｂが内側に位置しており、レバー７の中央部位７１が縦方向で第２コネクタハウジング５の一端から第２コネクタハウジング５の一端側に離れて存在している（図４等参照）。
【００９６】
さらに、上記組み立てがなされた状態では、弾性突出部６１が、縦方向で中央部位７１から一端側に突出している。なお、弾性突出部６１は、人の指の力で弾性変形するようになっている（図４等参照）。
【００９７】
上述したように、貫通孔６９に突起５７が挿入されカム溝３３に突起３５が入り込んでいることで、レバー７が軸Ｃ１を中心にして回転し、この回転により、カム溝３３と突起３５との間に、嵌合力または離脱力が生じるようになっている。そして、第１コネクタハウジング３に対して第２コネクタハウジング５が上下方向で移動するようになっている。
【００９８】
第２コネクタハウジング５が嵌合位置ＰＳ１に位置しているときには、図３等で示すように、レバー７の側方部位７３は、概ね縦方向に延伸している。
【００９９】
第２コネクタハウジング５が中間位置（第１、第２、第３中間位置を含む）に位置しているときには、図７等で示すように、レバー７の側方部位７３は、斜めに延伸している。
【０１００】
第２コネクタハウジング５が解除位置ＰＳ２に位置しているときには、図１１等で示すように、レバー７の側方部位７３は、概ね高さ方向に延伸している。
【０１０１】
また、第２コネクタハウジング５が嵌合位置ＰＳ１に位置しているときには、第２コネクタハウジング５の係止体５５に設けられている係止部６７に、レバー７の弾性突出部６１に設けられている第１被係止部６３が係止されており（図１参照）、これにより、固定ロック部２７が形成されている。
【０１０２】
さらに、図４で示すように、弾性突出部６１に力を加えて弾性突出部６１を弾性変形させ、係止体５５の係止部６７から第１被係止部６３を外すことで、レバー７が矢印Ａ４の方向（解除位置ＰＳ２の方向）に回転できるようになっている。これにより、解除操作部３１が弾性突出部６１に形成されていることになる。
【０１０３】
また、第２コネクタハウジング５が第３中間位置ＰＳ３に位置しているときには、第２コネクタハウジング５の係止体５５に設けられている係止部６７に、レバー７の弾性突出部６１に設けられている第２被係止部６５が、第１被係止部６３と同様に係止されており（図８参照）、これにより、中間ロック部１３が生成されている。なお、すでに理解されるように、中間ロック部１３と固定ロック部２７とにおいて、係止体５５に設けられている係止部６７は兼用されている。
【０１０４】
さらに、弾性突出部６１に力を加えて弾性突出部６１を弾性変形させ、係止体５５の係止部６７から、第２被係止部６５を外すことで、レバー７が図８に矢印Ａ８で示す方向（解除位置ＰＳ２の方向）に回転できるようになっている。これにより、解除操作部２９が弾性突出部６１に形成されていることになる。
【０１０５】
ところで、第２コネクタハウジング５が嵌合位置ＰＳ１に位置している状態（嵌合状態）では、前述したように、メイン回路スイッチの９のメス端子１５Ａにオス端子１７Ａが入り込んでおり、メス端子１５Ｂにオス端子１７Ｂが入り込んでおり、メス端子１５Ａとメス端子１５Ｂとは、オス端子１７を介して、お互いが導通している。
【０１０６】
また、嵌合状態では、信号回路スイッチ１１のメス端子２１Ａにオス端子２３Ａが入り込んでおり、メス端子２１Ｂにオス端子２３Ｂが入り込んでおり、メス端子２１Ａとメス端子２１Ｂとは、オス端子２３を介して、お互いが導通している（図４参照）。
【０１０７】
嵌合状態から、レバー７を回転することで、第２コネクタハウジング５が上方に移動し第２中間位置に達すると、信号回路スイッチ１１のメス端子２１Ａからオス端子２３Ａが抜け出て、メス端子２１Ｂからオス端子２３Ｂが抜け出て、メス端子２１Ａとメス端子２１Ｂとは、お互いが非導通状態になる。一方、メス端子１５Ａとメス端子１５Ｂとは、オス端子１７を介して、お互いが導通したままになっている。
【０１０８】
信号回路スイッチ１１のメス端子２１Ａとメス端子２１Ｂとがお互いが非導通であり、メス端子１５Ａとメス端子１５Ｂとがお互いが導通している状態は、レバー７をさらに回転することで第２コネクタハウジング５がさらに上方に移動し、第３中間位置ＰＳ３（図８参照）を通過して第１中間位置に到達するまで維持されるようになっている。
【０１０９】
第２コネクタハウジング５が上方に移動し第１中間位置に達すると、信号回路スイッチ１１だけでなく、メイン回路スイッチ９でも、メイン回路スイッチ９のメス端子１５Ａからオス端子１７Ａが抜け出て、メス端子１５Ｂからオス端子１７Ｂが抜け出て、メス端子１５Ａとメス端子１５Ｂとがお互いが非導通の状態になる。この状態は、レバー７をさらに回転することで第２コネクタハウジング５がさらに上方に移動し、解除位置ＰＳ１（図１２参照）に到達するまで維持されるようになっている。
【０１１０】
また、レバー７には、カム溝封止体７５が着脱自在に設けられている。カム溝封止体７５は、カム溝３３の端部に設けられている。カム溝封止体７５が設置されていることで、カム溝３３が閉じた形態になる（切り欠きではなく細長い貫通孔の形態になる）。
【０１１１】
図１１に示すように第２コネクタハウジング５が解除位置ＰＳ２に位置している状態でカム溝封止体７５をレバー７から取り外すと、カム溝３３から突起３５が抜け出るので、第２コネクタハウジング５とレバー７とが、さらに上方に移動可能になる。これにより、第２コネクタハウジング５を第１コネクタハウジング３から完全に分離することができる。
【０１１２】
なお、第２コネクタハウジング５とレバー７とを第１コネクタハウジング３に設置する場合にも、カム溝封止体７５を取り外しておくようになっている。
【０１１３】
次に、第２コネクタハウジング５を嵌合位置ＰＳ１から解除位置ＰＳ２にするときの動作について説明する。
【０１１４】
初期状態では、レバー７や第２コネクタハウジング５が嵌合位置ＰＳ１に位置して、メス端子１５，２１にオス端子１７，２３が入り込んでおり、係止体５５の係止部６７で弾性突出部６１の第１被係止部６３が係止されている。
【０１１５】
上記初期状態から、図４に示すように、弾性突出部６１を弾性変形させて第１被係止部６３を係止体５５の係止部６７からはずし、レバー７を図４の矢印Ａ４の方向に回転すると、第２コネクタハウジング５が上方に移動する。
【０１１６】
レバー７を図８に示す第３中間位置ＰＳ３まで回転すると、オス端子２３がメス端子２１から抜け出て、信号回路スイッチ１１のオス端子２３がメス端子２１から離れる。一方、メイン回路スイッチ９のオス端子１７はメス端子１５に入り込んでおり、オス端子１７とメス端子１５とはお互いが導通している。また、係止体５５の係止部６７で弾性突出部６１の第２被係止部６５が係止されている。
【０１１７】
図８に示す３中間位置ＰＳ３にレバー７が位置している状態で、弾性突出部６１を弾性変形させ第２被係止部６５を係止体５５の係止部６７からはずし、レバー７を図８の矢印Ａ８の方向に回転すると、第２コネクタハウジング５がさらに上方に移動する。
【０１１８】
レバー７を図１２に示す解除位置ＰＳ２まで回転すると、メイン回路スイッチ９のオス端子１７がメス端子１５から抜け出て、オス端子１７がメス端子１５から離れる。
【０１１９】
なお、第２コネクタハウジング５を解除位置ＰＳ２から嵌合位置ＰＳ１にするときには、上記動作とは逆の動作をすればよい。
【０１２０】
電源回路遮断装置１によれば、各回路スイッチ９，１１がコネクタハウジング３，５内に設けられているので、防水構造にすることが容易になっている。
【０１２１】
また、電源回路遮断装置１によれば、メイン回路スイッチ９がオン状態であり信号回路スイッチ１１がオフ状態であるときに（レバー７が第３中間位置ＰＳ３に位置しているときに）レバー７の回転位置をロックする中間ロック部１３が設けられているので、メイン回路スイッチ９の遮断作業（レバー７の解除作業）における火花が発生を無くことができる。
【０１２２】
すなわち、第３中間位置（メイン回路スイッチがオン状態であり信号回路スイッチがオフ状態であるレバーの所定の回転位置）ＰＳ３で中間ロック部１３によりレバー７の回転がロックされており、この中間ロック部１３でのロックを人の操作で解除しなければレバー７が回転しないようになっている。
【０１２３】
中間ロック部１３の解除にはある程度の時間を要するので、リレーが作動するための時間を十分に確保することができ、リレーの作動ができずメイン回路スイッチ９に電圧がかかったままの状態でメイン回路スイッチ９が開くこと無くなり、メイン回路スイッチ９での火花が発生を無くことができる。
【０１２４】
そして、低コストで安全にメイン回路スイッチ９の遮断する（メイン回路スイッチ９を開く）ことができる電源回路遮断装置１が提供される。
【０１２５】
また、電源回路遮断装置１によれば、信号回路スイッチ１１の信号端子２１，２３がメイン回路スイッチ９のメイン端子１５，１７の内側に位置しており、中心平面ＰＬに対して、信号端子２１，２３とメイン端子１５，１７とが対称に配置されており、レバー７の回転中心軸Ｃ１と第１コネクタハウジング３の突起３５の中心軸Ｃ２とが、中心平面ＰＬ内に存在しているので、レバー７を回転して、各コネクタハウジング３，５同士を嵌合・離脱するときに、信号回路スイッチ１１の信号端子２１，２３、メイン回路スイッチ９のメイン端子１５，１７および各コネクタハウジング３，５にモーメントが発生することがなくなり、各端子１５，１７，２１，２３や各コネクタハウジング３，５にこじりやかじりが発生することが無くなり、電源回路遮断装置１の耐久性が向上する。
【０１２６】
また、信号回路スイッチ１１の信号端子２１，２３がメイン回路スイッチ９のメイン端子１５，１７の内側に位置しているので、メイン端子１５，１７に比べて剛性の小さい信号端子２１，２３にモーメントによるこじり等が一層発生しにくくなっており、信号端子２１，２３の変形等を確実に防止することができる。
【符号の説明】
【０１２７】
１  電源回路遮断装置
３  第１コネクタハウジング
５  第２コネクタハウジング
７  レバー
９  メイン回路スイッチ
１１  信号回路スイッチ
１３  ロック部（中間ロック部）
１５（１５Ａ，１５Ｂ）  メイン端子（メス端子）
１７（１７Ａ，１７Ｂ）  メイン端子（オス端子）
２１（２１Ａ，２１Ｂ）  信号端子（メス端子）
２３（２３Ａ，２３Ｂ）  信号端子（オス端子）
２９  ロック解除操作部
３３  カム溝
３５  突起（第１コネクタハウジングの突起）
Ｃ１  回転中心軸（レバーの回転中心軸）
Ｃ２  中心軸（第１コネクタハウジングの突起の中心軸）
ＰＬ  平面（中心平面）
ＰＳ１  嵌合位置
ＰＳ２  解除位置
【図１】
2014056794.tif 000003
【図２】
2014056794.tif 000004
【図３】
2014056794.tif 000005
【図４】
2014056794.tif 000006
【図５】
2014056794.tif 000007
【図６】
2014056794.tif 000008
【図７】
2014056794.tif 000009
【図８】
2014056794.tif 000010
【図９】
2014056794.tif 000011
【図１０】
2014056794.tif 000012
【図１１】
2014056794.tif 000013
【図１２】
2014056794.tif 000014
【図１３】
2014056794.tif 000015
【図１４】
2014056794.tif 000016
【図１５】
2014056794.tif 000017
【図１６】
2014056794.tif 000018
【図１７】
2014056794.tif 000019
【図１８】
2014056794.tif 000020